(57)【要約】【課題】  組み立てが容易な熱交換器用フィンの製造方法及びそのフィンを用いた熱交換器の提供。【解決手段】  本発明の熱交換器用フィンの製造方法は、金属板のプレス加工により、細長い基部１に歯形状の多数の凹凸部２を一体に形成して帯状体３を形成し、その帯状体３を長手方向に定間隔のエレメント４ごとに、つづら折りに折り曲げ、各エレメント４間を圧縮してフィンを製造している。そのため、そのフィンの製造が容易で量産性が高く、安価に提供できる。また、このようなフィンを用いて熱交換器を製造した場合、製造が容易で量産性が高く、安価に生産でき、部品点数が最少になる。【選択図】        図２
2015135894.tif 000002
【特許請求の範囲】
【請求項１】
金属板のプレス加工により、細長い基部(1)の幅方向の少なくとも一端側に歯形状の多数の凹凸部(2)を一体に形成して帯状体(3)を形成するプレス工程と、
その帯状体(3)をその長手方向に定間隔のエレメント(4)ごとに、つづら折りに折り曲げる折り曲げ工程と、
各エレメント(4)間を圧縮してエレメント(4)どうしを接触させて積層する圧縮工程と、を具備する熱交換器用フィンの製造方法。
【請求項２】
請求項１に記載の熱交換器用フィンの製造方法において、
前記帯状体(3)の凹凸部(2)における凹部(2a)の前記長手方向の幅を凸部(2b)の幅より大とし、互いに接するエレメント(4)は、一方の凹部(2a)に他方の凸部(2b)がその重ね合わせ方向に配置されるように、前記帯状体(3)を折り曲げる前記折り曲げ工程とした熱交換器用フィンの製造方法。
【請求項３】
請求項１または請求項２に記載の熱交換器用フィンの製造方法において、
前記帯状体(3)の凹凸部(2)における凸部(2b)を台形状に形成した熱交換器用フィンの製造方法。
【請求項４】
請求項１〜請求項３に記載の熱交換器用フィンの製造方法において、
前記プレス工程で、各エレメント(4)の長さごとの折り曲げ位置に、前記帯状体(3)の幅方向へ線状の曲げ凹部(5)を、帯状体(3)の表面側と裏面側とに交互に形成して、折り曲げを容易にした熱交換器用フィンの製造方法。
【請求項５】
請求項１〜請求項４のいずれかに記載の熱交換器用フィンの製造方法において、
金属板のプレス加工により、細長い基部(1)の幅方向の一端側にのみ歯形状の多数の凹凸部(2)を一体に形成して帯状体(3)を形成すると共に、各エレメント(4)の折り曲げ位置で、その基部(1)の幅方向の他端側に予め切欠部(6)を形成しておき、折り曲げ工程の際に、その幅方向の他端側に折り曲げに伴う突出部(7)の発生を防止した熱交換器用フィンの製造方法。
【請求項６】
請求項１〜請求項５のいずれかに記載の熱交換器用フィンの製造方法において、
金属板のプレス加工により、細長い基部(1)の幅方向の両端側に歯形状の多数の凹凸部(2)を一体に形成して帯状体(3)を形成した熱交換器用フィンの製造方法。
【請求項７】
請求項１〜請求項６のいずれかに記載の熱交換器用フィンの製造方法において、
エレメント(4)の積層方向の中間位置に、凹凸部の存在しない仕切部(4a)を介装した熱交換器用フィンの製造方法。
【請求項８】
請求項１〜請求項７のいずれかに記載の製造方法により製造された熱交換器用フィン。
【請求項９】
請求項８に記載の熱交換器フィンがインナーフィン(8)として、一対の皿状プレート間(10) (11)の流路内に介装された熱交換器。
【発明の詳細な説明】
【技術分野】
【０００１】
本発明は、一例としてヒートシンクとして用いられる熱交換器用フィンの製造方法およびそのフィンを用いた熱交換器に関する。
【背景技術】
【０００２】
パワートランジスタや集積回路パッケージ等の発熱体を冷却するヒートシンクは、コンパクトで且つ伝熱面積が広いものが求められる。
下記特許文献１及び２は、多数のプレートをプレス成形し、外周に枠部を有するとともに、その内側で熱吸収媒体の流れ方向の上流域と下流域に一対のマニホールド部を有し、中間部に多数のスリットが形成されたパンチングプレートを作製する。そのパンチングプレートを厚み方向に積層し、その積層方向の上下両端に端板を配置してなるものである。
そして、その端板にパワートランジスタや集積回路パッケージ等を貼着し、内部に熱吸収媒体を流通させるものである。
【先行技術文献】
【特許文献】
【０００３】
【特許文献１】特開２０１２−１８９６６号公報
【特許文献２】特開２０１０−２０５９８１号公報
【発明の概要】
【発明が解決しようとする課題】
【０００４】
上記のようなヒートシンクは、それぞれ独立した多数のプレートを積層し、各プレート間をろう付け固定してなるものであり、部品点数が多く、その組み立てが面倒である欠点があった。また、部品点数が少ないヒートシンクを製造する方法として、肉厚フィンをダイキャストによって製造する方法や鍛造によって製造する方法が考えられるが、ダイキャストの場合はその後のろう付けができず、鍛造による場合は、そのコストが大きくなる。さらに、ダイキャストや鍛造でフィンを製造する場合、その流路形状の設計変更が困難となる。
そこで、本発明は流路形状の設計変更が容易で、低コストであり、部品点数が少なく、組み立てが容易な熱交換器用フィンの製造方法およびそのフィンを用いた熱交換器を提供することを課題とする。
【課題を解決するための手段】
【０００５】
請求項１に記載の本発明は、金属板のプレス加工により、細長い基部(1)の幅方向の少なくとも一端側に歯形状の多数の凹凸部(2)を一体に形成して帯状体(3)を形成するプレス工程と、
その帯状体(3)をその長手方向に定間隔のエレメント(4)ごとに、つづら折りに折り曲げる折り曲げ工程と、
各エレメント(4)間を圧縮してエレメント(4)どうしを接触させて積層する圧縮工程と、を具備する熱交換器用フィンの製造方法である。
【０００６】
請求項２に記載の本発明は、請求項１に記載の熱交換器用フィンの製造方法において、
前記帯状体(3)の凹凸部(2)における凹部(2a)の前記長手方向の幅を凸部(2b)の幅より大とし、互いに接するエレメント(4)は、一方の凹部(2a)に他方の凸部(2b)がその重ね合わせ方向に配置されるように、前記帯状体(3)を折り曲げる前記折り曲げ工程とした熱交換器用フィンの製造方法である。
請求項３に記載の本発明は、請求項１または請求項２に記載の熱交換器用フィンの製造方法において、
前記帯状体(3)の凹凸部(2)における凸部(2b)を台形状に形成した熱交換器用フィンの製造方法である。
【０００７】
請求項４に記載の本発明は、請求項１〜請求項３に記載の熱交換器用フィンの製造方法において、
前記プレス工程で、各エレメント(4)の長さごとの折り曲げ位置に、前記帯状体(3)の幅方向へ線状の曲げ凹部(5)を、帯状体(3)の表面側と裏面側とに交互に形成して、折り曲げを容易にした熱交換器用フィンの製造方法である。
請求項５に記載の本発明は、請求項１〜請求項４のいずれかに記載の熱交換器用フィンの製造方法において、
金属板のプレス加工により、細長い基部(1)の幅方向の一端側にのみ歯形状の多数の凹凸部(2)を一体に形成して帯状体(3)を形成すると共に、各エレメント(4)の折り曲げ位置で、その基部(1)の幅方向の他端側に予め切欠部 (6)を形成しておき、折り曲げ工程の際に、その幅方向の他端側に折り曲げに伴う突出部(7)の発生を防止した熱交換器用フィンの製造方法である。
【０００８】
請求項６に記載の本発明は、請求項１〜請求項５のいずれかに記載の熱交換器用フィンの製造方法において、
金属板のプレス加工により、細長い基部(1)の幅方向の両端側に歯形状の多数の凹凸部(2)を一体に形成して帯状体(3)を形成した熱交換器用フィンの製造方法である。
請求項７に記載の本発明は、請求項１〜請求項６のいずれかに記載の熱交換器用フィンの製造方法において、
エレメント(4)の積層方向の中間位置に、凹凸部(2)の存在しない仕切部(4a)を介装した熱交換器用フィンの製造方法である。
【０００９】
請求項８に記載の本発明は、請求項１〜請求項７のいずれかに記載の製造方法により製造された熱交換器用フィンである。
【００１０】
請求項９に記載の本発明は、請求項８に記載の熱交換器用フィンがインナーフィン(8)として、一対の皿状プレート(10)(11)間の流路内に介装された熱交換器である。
【発明の効果】
【００１１】
本発明の熱交換器用フィンの製造方法は、金属板のプレス加工により、細長い基部１に歯形状の多数の凹凸部２を一体に形成して帯状体３を形成し、その帯状体３を長手方向に定間隔のエレメント４ごとに、つづら折りに折り曲げ、各エレメント４間を圧縮してフィンを製造しているため、そのフィンの製造が容易で量産性が高く、安価に提供できる。また、折り返された基部１が互いに接触してフィンを形成しているため、フィンピッチが正確に金属板の厚みとなり、そのピッチ管理が容易であるとともに、コンパクトで伝熱面積の広い性能のよい熱交換器用フィンとなる。さらに、基部１を折り曲げる位置とその回数によって、フィンの大きさや形を容易に変形することができるので、熱交換器の大きさや用途などに合わせて製造することが容易となる。
【００１２】
請求項２に記載の熱交換器用フィンの製造方法によれば、帯状体３の凹部2aの長手方向の幅を凸部2bの幅より大とし、隣接するエレメント４どうしの一方の凹部2aに他方の凸部2bがその重ね合わせ方向に配置されるように帯状体３を折り曲げてフィンを製造するため、熱吸収媒体が各凸部2b間を蛇行状に流通し、それを撹拌して熱交換を促進することができる。
請求項３に記載の熱交換器用フィンの製造方法によれば、帯状部３の凸部2bを台形状に形成したので、凸部2bの先端の部分（発熱体貼着側のプレート内面近傍）には熱吸収媒体が多く流れ、凸部2bと基部１との付根の部分には熱吸収媒体が少なく流れるようになる。これにより、発熱体の直下でその熱を効果的に吸収することができ、熱交換性能を向上できる。
【００１３】
請求項４に記載の熱交換器用フィンの製造方法によれば、プレス工程で、帯状体３の折り曲げ位置に幅方向へ線状の曲げ凹部５を設けたから、フィンの折り曲げ工程を容易かつ正確に行うことができる。
請求項５に記載の熱交換器用フィンの製造方法によれば、プレス加工により、各エレメント４の折り曲げ位置で、その基部１の幅方向の他端側に予め切欠部６を形成したから、折り曲げ工程の際に、その幅方向の他端側に折り曲げに伴う突出部７の発生を防止し、そのフィンに隣接するプレートとの干渉を避けることができる。
【００１４】
請求項６に記載の熱交換器用フィンの製造方法によれば、細長い基部１の幅方向の両端側に凹凸部２を一体に形成して帯状体３を形成するので、伝熱面積を大きくすることができ、良好な熱交換を行うことができる。
請求項７に記載の熱交換器用フィンの製造方法のように、エレメント４の積層方向の中間位置に、凹凸部２の存在しない仕切部4aを介装した場合には、熱交換器内部を流通する熱吸収媒体の流れを効率よく整流し、各部を流れる熱吸収媒体の流量を均一にすることができる。
そして、本製造方法により製造されたフィンをインナーフィン８として用いた熱交換器は、製造が容易で量産性が高く、安価に生産でき、部品点数が最少になる。
【図面の簡単な説明】
【００１５】
【図１】本発明の熱交換器用フィンを備えた熱交換器を示す分解斜視図。
【図２】同フィンを製造する工程を示す斜視図（Ａ）、その要部斜視拡大図(Ｂ)。
【図３】同フィンの各実施例の正面図であって、(Ａ)はその第１実施例であって、凸部(2b)の形状が長方形のものであり、(Ｂ)はその第２実施例であって、凸部(2b)が台形のものであり、(Ｃ)は第３実施例であって、凸部(2b)が幅方向両端に形成されたのもの。
【図４】同各フィンの曲げ凹部５を形成する説明図であって、(Ａ)はその正面図であり、(Ｂ)は同底面図、(Ｃ)はその下部に形成する突出防止用の切欠部６の説明図。
【図５】同フィンの折り曲げ部の要部拡大斜視図。
【図６】図４(Ｃ)の切欠部を設けない場合の突出部の説明図。
【図７】仕切部を有するフィンを用いた熱交換器の熱吸収媒体14の流れを示す説明図(Ａ)、及び同フィンの製造工程の説明図(Ｂ)。
【図８】本発明のさらに他の例の熱交換器用フィンの製造工程を示す説明図。
【図９】さらに他の例の熱交換器用フィンを用いた熱交換器を示す説明図。
【図１０】さらに他の例の熱交換器用フィンを用いた熱交換器を示す説明図。
【図１１】さらに他の例の熱交換器用フィンを用いた熱交換器を示す説明図。
【発明を実施するための形態】
【００１６】
次に、図面に基づいて本発明の各実施の形態につき説明する。
図１〜図７は、本発明の第１実施例のフィンの製造方法およびそれをインナーフィン８として用いた熱交換器である。
【００１７】
（本発明のフィンの製造方法の第１実施例）
この熱交換器用フィンは、図２に示す如く、先ず、平坦な金属板をプレス成形する工程により、細長い基部１に歯形状の多数の凹凸部２が一体に形成されて帯状体３を構成する。凹凸部２の凸部2bは、この例では、基部１の幅方向の一端縁に定間隔に凸設されている。この例では、図４(Ａ)に示す如く、帯状体３の凹部2aの長手方向の幅は、凸部2bの長手方向の幅より大に形成される。後述する通り、この熱交換器用フィンは、凸部2bが平面千鳥状に配置され、熱吸収媒体はフィンの凸部2bの配置に従って、各凸部2b間を蛇行状に流通する。このとき、凹部2aと凸部2bとの差の1/2の幅が熱吸収媒体の流通路となるので、その幅が小さいと流通抵抗が大となる。一方で、その幅が大きすぎても放熱面積が減少する。
【００１８】
そこで、隣り合う凹部2aと凸部2bの幅は、放熱面積と流通抵抗を考慮して決定される。さらに、この凸部2bの形状は、図３ (Ｂ)に示す如く、台形状のようにすることができる。台形状の凸部2bは、ダイキャストや鍛造による製造方法では困難である。しかし、プレス成形によりフィンの流路形成を行う場合、容易にその基本となる帯状体３を製造でき、それを折り曲げて肉厚なインナーフィンとすることが可能となる。また、図３(Ｂ)に代えて、図３(Ａ)の如く、方形にすることもできる。さらには、図３(Ｃ)に示す如く、その凹凸部２を基部１の幅方向両端部に設けることもできる。
【００１９】
次いで、図２に示す如く、帯状体３を後述する熱交換器のインナーフィン８の流れ方向長さと整合するエレメント４の長さの位置で、定間隔につづら折にする。さらに、そのエレメント４は、図２(Ｂ)に示す如く、互いに接触するように圧着されるとともに、隣接するエレメント４どうしの一方の凹部2aに他方の凸部2bがその重ね合わせ方向に配置され、図２に示す、熱交換器用フィンを完成する。
隣接するエレメント４の凸部2bは互いに半ピッチ位置ずれしており、各凸部2bが平面千鳥状に配置される。
エレメント４の折り曲げ位置を特定するため、プレス成型時に図４(Ａ)、(Ｂ)に示す如く、その折り曲げ位置の幅方向へ直線状の曲げ凹部５をその表面側と裏面側とに、交互に設ける。それにより、折り曲げを容易にすることができる。
【００２０】
さらに、この例では、図４(Ｃ)に示す如く、基部１の折り曲げ部の下面を楔状に凹陥し、折り曲げた時に図５に示すテーパ状の切欠部６が形成される。これは、基部１の下面を平坦にすることで、第１プレート10と基部１の下面とを干渉させることなく、インナーフィン８を第１プレート10に着座させるものである。仮に、基部１の下端面に図６に示す突出部７が存在すると、基部１が第１プレート10から僅かに浮き上がる。
次に、図７(Ｂ)に示す如く、帯状体３の長手方向の一定位置に凹凸部２の存在しない仕切部4aを設けることもできる。この仕切部を有することにより、熱交換器の内部を流通する熱吸収媒体の流れを整流することができる。
【００２１】
（本発明のフィンを用いた熱交換器）
図１に示す如く、この熱交換器用フィンをインナーフィン８として、一対の皿状の第１プレート10と第２プレート11とからなる熱交換器の本体９に内装する。第１プレート10，第２プレート11は、外周にフランジ部を有する皿状の偏平凹部を形成し、この例ではその長手方向の一端で、その幅方向の両側に一対の出入口パイプ12を接続する。そして、各第１プレート10，第２プレート11の偏平凹部の幅方向両側にマニホールド部16を設け、その一対のマニホールド部16間にインナーフィン８を載置する。従って、インナーフィン８の幅は一対のマニホールド部16を除く、各プレートの幅に等しい。なお、マニホールド部16とインナーフィン８の載置部との境界にインナーフィン８のリブ15を設けてもよい。この際、インナーフィン８の折り曲げ部に図５のようなテーパ状の切欠部６を設けるとともに、リブ15を第１プレート10に設けた場合、その位置決めが容易になる。インナーフィン８の各凸部2bの稜線が、各プレートの幅方向に一致する。インナーフィン８の下面は、第１プレート10の偏平凹部と接触し、インナーフィン８のそれぞれの凸部2bの上端面は、第２プレート11の偏平凹部と接触する。そして、各部品を組立て、炉内で各部品間を一体にろう付けして熱交換器を完成する。
【００２２】
そして、熱吸収媒体14を出入口パイプ12の一方側から流入させ、偏平凹部の一方のマニホールド部16から他方のマニホールド部16にインナーフィン８を介して幅方向へ流通させ、出入口パイプ12の他方側からそれを流出させる。このとき熱吸収媒体14は、図７(Ａ)に示す如く、幅方向の一方の端部から、インナーフィン８の幅方向へ凸部2bと凹部2aの間を蛇行状に流通し、他方の端部より流出する。
即ち、熱吸収媒体14は、板厚方向へ蛇行状に流通する。その熱吸収媒体14は、一例として、気液二相状態の冷媒、或いは、冷却水が用いられる。そして、熱交換器の本体９の外面には発熱体13が接触固定され、その熱を熱吸収媒体14に伝達し、発熱体13を冷却するものである。なお、発熱体13を熱交換器の本体９の両外面に固定する場合には、図３(Ｃ)のフィンを用いると効率よく熱交換することができる。
【００２３】
（本発明のフィンの製造方法の第２実施例）
次に、図８は本発明の第２実施例であり、これが第１実施例の図２のインナーフィン８と異なる点は、その折り曲げ部の位置である。同図に示す如く、この例の折り曲げ部は平面視で階段状に形成されている。
このようなインナーフィン８は一例として、図９に示す如く、使用される。これはインナーフィン８の全体形状を平行四辺形に傾斜させて配置し、熱吸収媒体14の出入り口を熱交換器の対角位置に配置する場合などに利用できる。このようにすると、入口より遠い位置にも熱吸収媒体を十分に供給することができ、バランスの良い熱交換を行うことができる。
また、図10に示す如く、そのフィンの平面形状を台形型にすることもでき、さらには、図11に示す如く、両プレート９、10に仕切部17を設け、２パス型の熱交換器とすることもできる。
【符号の説明】
【００２４】
１  基部
２  凹凸部
2a  凹部
2b  凸部
３  帯状体
４  エレメント
4a  仕切部
５  曲げ凹部
６  凹陥部
７  突出部
８  インナーフィン
【００２５】
９  本体
10  第１プレート
11  第２プレート
12  出入口パイプ
13  発熱体
14  熱吸収媒体
15  リブ
16  マニホールド部
17  仕切部
【図１】
2015135894.tif 000003
【図２】
2015135894.tif 000004
【図３】
2015135894.tif 000005
【図４】
2015135894.tif 000006
【図５】
2015135894.tif 000007
【図６】
2015135894.tif 000008
【図７】
2015135894.tif 000009
【図８】
2015135894.tif 000010
【図９】
2015135894.tif 000011
【図１０】
2015135894.tif 000012
【図１１】
2015135894.tif 000013